【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
原子炉建屋内に設置されて前記原子炉建屋の一部である生体遮へい体で取り囲まれた原子炉格納容器、及び前記原子炉格納容器内に設置された筒状の原子炉圧力容器支持部材によって支持され、前記原子炉格納容器によって取り囲まれる原子炉圧力容器を有する燃料デブリの取り出し方法であって、
前記原子炉圧力容器に取り付けられた圧力容器ヘッドを取り外して前記原子炉圧力容器を開放し、
前記原子炉圧力容器の底部に第２貫通孔を形成し、
前記原子炉圧力容器内において前記原子炉圧力容器内の炉内構造物及び燃料デブリを切断し、
前記炉内構造物及び前記燃料デブリのそれぞれの切断片を、前記第２貫通孔を通して前記原子炉圧力容器よりも下方で前記原子炉圧力容器支持部材によって取り囲まれた領域に排出することを特徴とする燃料デブリの取出し方法。
【請求項２】
前記第２貫通孔を通して排出された前記切断片が、前記原子炉圧力容器支持部材に形成された第１開口部を通して前記原子炉圧力容器支持部材に移送される請求項１に記載の燃料デブリの取出し方法。
【請求項３】
前記第２貫通孔を通して排出された前記切断片が、前記原子炉圧力容器支持部材によって取り囲まれた領域内に配置された緩衝装置の、前記原子炉圧力容器支持部材に形成された第１開口部に向かって傾斜する傾斜面に落下し、
落下した前記切断片が前記傾斜面に沿って下降して前記第１開口部を通って前記原子炉圧力容器支持部材の外部に置かれた収納容器内に供給される請求項１に記載の燃料デブリの取出し方法。
【請求項４】
前記原子炉圧力容器の底部に第２貫通孔を形成する前に、前記原子炉圧力容器から前記原子炉圧力容器支持部材によって取り囲まれた領域に落下した燃料デブリを、前記原子炉圧力容器支持部材に形成された第１開口部及び前記原子炉格納容器の周囲を取り囲む生体遮へい体に形成された第２開口部を通して前記原子炉格納容器の外部に移送する請求項１に記載の燃料デブリの取出し方法。
【請求項５】
前記原子炉圧力容器の開放が、
機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
前記機器仮置きプール内に放射線遮へい容器を設置し、
前記放射線遮へい容器内から前記スロットルプラグに第１貫通孔を形成し、
前記放射線遮へい容器内から前記第１貫通孔を通して前記シールドプラグで封鎖された前記原子炉ウェル内に第１放射線遮へい体を移送して前記シールドプラグの下方において前記原子炉格納容器の格納容器ヘッドを前記第１放射線遮へい体で覆う原子炉圧力容器を開放する方法を実施することによって行われる請求項１ないし４のいずれか１項に記載の燃料デブリの取出し方法。
【請求項６】
前記原子炉圧力容器を開放する方法において前記第１放射線遮へい体として内部に水が充填された遮へい袋を用いる請求項５に記載の燃料デブリの取出し方法。
【請求項７】
前記原子炉圧力容器を開放する方法において、前記原子炉ウェル内に第１放射線遮へい体を移送する前に、前記第１貫通孔を通して前記原子炉ウェル内における前記シールドプラグと前記格納容器ヘッドの洗浄を実施する請求項５または６に記載の燃料デブリの取出し方法。
【請求項８】
前記原子炉圧力容器を開放する方法において、前記原子炉ウェルを覆う隔離ハウスを前記運転床上に設置し、且つ、前記格納容器ヘッドを前記第１第１放射線遮へい体で覆った状態で前記シールドプラグを除去する請求項５ないし７のいずれか１項に記載の燃料デブリの取出し方法。
【請求項９】
前記原子炉圧力容器を開放する方法において、前記第１放射線遮へい体で覆われた前記格納容器ヘッドを原子炉格納容器から取り外し、且つ、取り外した前記格納容器ヘッドを前記隔離ハウス内に移送する請求項８に記載の燃料デブリの取出し方法。
【請求項１０】
前記原子炉圧力容器を開放する方法において、前記シールドプラグを除去した後に前記第１放射線遮へい体の上方で前記運転床上に第２放射線遮へい体を配置し、且つ、前記第２放射線遮へい体を配置した状態で、前記原子炉ウェル内の、前記格納容器ヘッドを覆っている前記第１放射線遮へい体を除去する請求項８に記載の燃料デブリの取出し方法。
【請求項１１】
前記原子炉圧力容器を開放する方法において、放射線遮へい吊り天秤装置で前記格納容器ヘッドを覆って前記格納容器ヘッドが前記放射線遮へい吊り天秤装置に吊り下げられ、前記格納容器ヘッドを原子炉格納容器から取り外し、さらに、取り外した前記格納容器ヘッドを前記放射線遮へい吊り天秤装置で覆った状態で前記隔離ハウス内に移送する請求項１０に記載の燃料デブリの取出し方法。
【請求項１２】
前記原子炉圧力容器を開放する方法において、前記格納容器ヘッドを除去した後、前記原子炉圧力容器に取り付けられた圧力容器ヘッドを取り外す請求項９または１１に記載の燃料デブリの取出し方法。
【請求項１３】
前記原子炉圧力容器の開放が、
機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
前記原子炉ウェルを覆う隔離ハウスを前記運転床上に設置し、
前記原子炉格納容器の格納容器ヘッドを第１放射線遮へい体で覆った状態で前記シールドプラグを除去し、
前記原子炉圧力容器に取り付けられた圧力容器ヘッドを覆う隔離容器を、前記原子炉ウェル及び前記隔離ハウス内に配置し、
前記隔離容器内で、前記原子炉圧力容器から取り外された前記圧力容器ヘッドを上方に向かって移送する原子炉圧力容器を開放する方法を実施することによって行われる請求項１ないし４のいずれか１項に記載の燃料デブリの取出し方法。
【請求項１４】
前記原子炉圧力容器を開放する方法において、前記隔離容器を配置する前で前記シールドプラグを除去する前に、請求項５ないし７のいずれか１項に記載の前記原子炉圧力容器を開放する方法を実施する請求項１３に記載の燃料デブリの取出し方法。
【請求項１５】
前記原子炉圧力容器を開放する方法において、前記隔離容器内を上方に向かって移送する前記圧力容器ヘッドを、前記隔離ハウスの位置で前記隔離容器に取り付けられた第１エアロックを通して前記隔離ハウス内に移送する請求項１３または１４に記載の燃料デブリの取出し方法。
【請求項１６】
前記原子炉圧力容器を開放する方法において、前記隔離容器内で前記圧力容器ヘッドを上方に向かって移送するとき、上方に向かって移送される前記圧力容器ヘッドが、前記圧力容器ヘッドの上方に配置されて水が充填された遮へい袋に形成された貫通孔内を上昇する請求項１３ないし１５のいずれか１項に記載の燃料デブリの取出し方法。
【請求項１７】
前記原子炉圧力容器を開放する方法において、前記圧力容器ヘッドが取り外された後、前記原子炉圧力容器から取り外された蒸気乾燥器を前記原子炉圧力容器内から前記隔離容器内に取り出し、且つ、前記機器仮置きプール内に設置された放射線遮へい容器の位置で前記隔離容器に取り付けられた第２エアロックを通して前記放射線遮へい容器内に移送する請求項１３ないし１６のいずれか１項に記載の燃料デブリの取出し方法。
【請求項１８】
前記原子炉圧力容器を開放する方法において、前記シールドプラグを除去した後で前記隔離容器が配置される前に、前記第１放射線遮へい体にて覆われた前記格納容器ヘッドを原子炉格納容器から取り外し、且つ、取り外した前記格納容器ヘッドを前記隔離ハウス内に移送する請求項１３ないし１７のいずれか１項に記載の燃料デブリの取出し方法。
【請求項１９】
前記原子炉圧力容器を開放する方法において、前記シールドプラグを除去した後で前記隔離容器が配置される前に、前記第１放射線遮へい体の上方で前記運転床上に第２放射線遮へい体を配置し、且つ、前記第２放射線遮へい体を配置した状態で、前記原子炉ウェル内の、前記格納容器ヘッドを覆っている前記第１放射線遮へい体を除去する請求項１３ないし１７のいずれか１項に記載の燃料デブリの取出し方法。
【請求項２０】
前記第２貫通孔を通して排出された前記切断片が、前記原子炉圧力容器支持部材によって取り囲まれた領域内に配置された緩衝装置の、前記原子炉圧力容器支持部材に形成された第１開口部に向かって傾斜する傾斜面に落下し、
この落下した前記切断片の量を監視し、
前記傾斜面上に堆積する前記切断片の量に基づいて、前記第２貫通孔を通して排出される前記切断片の量を調節する請求項１に記載の燃料デブリの取出し方法。
【請求項２１】
前記第２貫通孔を通して排出される前記切断片の量の調節は、原子炉圧力容器内に配置されて前記炉内構造物及び前記燃料デブリを切断する切削装置の下降速度を調節することによって行われる請求項２０に記載の燃料デブリの取出し方法。
【請求項２２】
前記第２貫通孔を通して排出される前記切断片の量の調節は、荷重計で測定される、前記傾斜面に加わる荷重に基づいて、原子炉圧力容器内に配置されて前記炉内構造物及び前記燃料デブリを切断する切削装置の下降速度を調節することによって行われる請求項２０に記載の燃料デブリの取出し方法。
【手続補正２】
【補正対象書類名】明細書
【補正対象項目名】発明の名称
【補正方法】変更
【補正の内容】
【発明の名称】燃料デブリの取出し方法
【手続補正３】
【補正対象書類名】明細書
【補正対象項目名】００２３
【補正方法】変更
【補正の内容】
【００２３】
本発明によれば、燃料デブリの取出しに要する時間をさらに短縮することができる。
【手続補正４】
【補正対象書類名】明細書
【補正対象項目名】００３４
【補正方法】変更
【補正の内容】
【００３４】
原子炉圧力容器３は、原子炉格納容器１７内の底部に設けられたコンクリートマット１６上に設けられた円筒状のペデスタル１５上に据え付けられている。筒状のγ線遮蔽体２２が、ペデスタル１５の上端に設置され、原子炉圧力容器３を取り囲んでいる。下部プレナム２０が、原子炉圧力容器３の下方でペデスタル１５内に形成される。
【手続補正５】
【補正対象書類名】明細書
【補正対象項目名】００７１
【補正方法】変更
【補正の内容】
【００７１】
隔離ハウス内に設置されている天井クレーンを除去し、新たに、二基の天井クレーン及び隔離壁を隔離ハウス内に設置する（ステップＳ８Ｄ）。隔離ハウス４９内に設置されている天井クレーン５０を除去し、新たに、ガイドレール５１Ａ及び５１Ｂを隔離ハウス４９内で隔離ハウス４９の天井付近に設置する。そして、天井クレーン５０Ａ及び５０Ｂがガイドレール５１Ａ及び５１Ｂの上に設置される（図２６参照）。天井クレーン５０の除去及び天井クレーン５０Ａ及び５０Ｂの設置には、隔離ハウス４９内に搬入された走行クレーンが用いられる。天井クレーン５０Ａ及び５０Ｂが設置された後、開口部６０Ａが形成されて開口部６０Ａの開閉を行うドアが移動可能に取り付けられた隔離壁６０が、隔離ハウス４９内に搬入され、放射線遮へい容器３２の原子炉ウェル２５側の端部付近に立てて隔離ハウス４９の内面に溶接にて取り付けられる（図２６参照）。
【手続補正６】
【補正対象書類名】明細書
【補正対象項目名】００７３
【補正方法】変更
【補正の内容】
【００７３】
第２放射線遮へい体を設置する（ステップＳ９）。複数の放射線遮へい板を折り畳めるように相互に連結して構成された放射線遮へい体（第２放射線遮へい体）５９が、天井クレーン５０Ａを用いて、原子炉ウェル２５を覆うように、隔離ハウス４９内の空間５３Ａの底面を形成する床部材５８上に取り外し可能に設置される（図２６参照）。放射線遮へい体５９は、複数の放射線遮へい板の折り畳み及び伸長を行う駆動装置を備えている。なお、この放射線遮へい板は、複数の水遮へい袋を配置し、注水若しくは排水により折りたたみ可能で開閉動作もできる構造としても良い。隔離フィルム収納容器７３内に収納された開閉式の隔離フィルム５４が、原子炉ウェル２５を覆うように設置された放射線遮へい体５９を覆って配置される。放射線遮へい体５９は、折り畳まれた状態で、クローラクレーンにより隔離ハウス４９の外部で運転床２４上に搬送され、さらに、空間５３Ｂを介して空間５３Ａ内に移送される。この折り畳まれた放射線遮へい体５９は、天井クレーン５０Ａに吊り下げられて開閉式の隔離フィルム５４の開口部を通って床部材５８上に置かれ、上記の駆動装置により床部材５８の開口部５８Ａを覆うように伸長される。
【手続補正７】
【補正対象書類名】明細書
【補正対象項目名】００７５
【補正方法】変更
【補正の内容】
【００７５】
放射線遮へい体５９と同様に、吊り天秤６６が隔離ハウス４９内の空間５３Ａに搬入される。吊り天秤６６には、下端部に掴み具６７Ａが取り付けられた吊り棒６８Ａ及び下端部に掴み具６７Ｂが取り付けられた吊り棒６８Ｂがそれぞれ下向きに取り付けられ、さらに、切断装置７０が取り付けられる。切断装置７０は、移動装置７８、下方に向かって伸びて移動装置７８に取り付けられた伸縮管７７及び伸縮管の下端部に取り付けられた切断機６９を備える（図２７参照）。円板である吊り天秤６６の下面には、切断装置７０を格納容器ヘッド１８の周囲に旋回させるリング状のガイドレール（図示せず）が取り付けられており、移動装置７８はこのガイドレールの下側に移動可能に取り付けられている。吊り天秤６６の外径は、釣り天秤６６が開口部５８Ａを通過するように、開口部５８Ａの内径よりも若干小さくなっている。
【手続補正８】
【補正対象書類名】明細書
【補正対象項目名】００７７
【補正方法】変更
【補正の内容】
【００７７】
原子炉ウェル２５の上方を覆っている放射線遮へい体５９は、前述の駆動装置により折り畳まれ、天井クレーン５０Ａを用いて床部材５８上から除去される。その後、吊り天秤６６が、天井クレーン５０Ａに吊り下げられて空間５３Ａから原子炉ウェル２５に向かって下降され、開閉式で広げられた隔離フィルム５４の間及び開口部５８Ａを通って原子炉ウェル２５内に下降される。この吊り天秤６６の下降に伴って、掴み具６７Ａ及び６７Ｂ及び吊り棒６８Ａ及び６８Ｂが、水が充填されたそれぞれの遮へい袋４８に形成された貫通孔４８Ａ内に挿入される（図２８参照）。そして、格納容器ヘッド１８の頂部に設けられた各吊り具が掴み具６７Ａ及び６７Ｂによって把持される（図２８参照）。
【手続補正９】
【補正対象書類名】明細書
【補正対象項目名】００８６
【補正方法】変更
【補正の内容】
【００８６】
放射線遮へい吊り天秤装置７４は、空間５３Ａに搬入され、図５４に示されるように、天井クレーン５０Ａに吊り下げられる。その後、放射線遮へい吊り天秤装置７４が、天井クレーン５０Ａに吊り下げられて空間５３Ａから原子炉ウェル２５に向かって下降され、開閉式で広げられた隔離フィルム５４の間を通って原子炉ウェル２５内に下降される。さらに、円筒状の側壁部７４Ｃの下面がバッフルプレート７６付近に達するまで、放射線遮へい吊り天秤装置７４が下降され、保温材３０が円筒状の側壁部７４Ｃ内に挿入される。このとき、掴み具７５Ｃ及び７５Ｄのそれぞれは、保温材３０の頂部に設けられた一対の吊り具（図示せず）のそれぞれを把持する。この保温材３０は、放射線遮へい吊り天秤装置７４によって覆われる。切断機１２５が、放射線遮へい吊り天秤装置７４の円筒状の側壁部７４Ｃの下面に取り付けられたリング状のガイドレールに沿って移動しながら保温材３０をバッフルプレート７６付近で切断する。切断機１２５がそのリング状のガイドレールを一周することによって、保温材３０の下端部が完全に切断される。
【手続補正１０】
【補正対象書類名】明細書
【補正対象項目名】００９２
【補正方法】変更
【補正の内容】
【００９２】
吊り天秤装置１２７が図３１に示すように原子炉ウェル２５内に配置された状態で、放射線遮へいプレート７９及び支持梁部材８０を収納した搬入された隔離チャンバー４０を、図示されていないが、放射線遮へい容器３２内に搬入する。隔離チャンバー４０内には、伸縮管及び伸縮管の先端部に掴み具を取り付けた把持装置（図示せず）が収納されている。この掴み具で放射線遮へいプレート７９を掴み、隔離チャンバー４０内のドア６４Ａ及び６４Ｂを開いて把持装置の伸縮管を伸ばして放射線遮へいプレート７９を掴んでいる掴み具を原子炉ウェル２５内のバッフルプレート７６の上方まで移動させる。そして、この放射線遮へいプレート７９はバッフルプレート７６の上に置かれる。隔離チャンバー４０内の支持梁部材８０も、掴み具で掴まれて同様に原子炉ウェル２５内まで移送され、バッフルプレート７６の上に置かれる。
【手続補正１１】
【補正対象書類名】明細書
【補正対象項目名】０１０６
【補正方法】変更
【補正の内容】
【０１０６】
圧力容器ヘッド４が密封空間９３内で水が充填されて遮へい袋８５と水が充填されて遮へい袋８６の間まで上昇したとき、圧力容器ヘッド４の内面（下面）の除染が実施される（図３７参照）。図２９に示された格納容器ヘッド１８の内面の除染と同様に、除染装置７１を収納した隔離チャンバー４０が、開口部３６Ａを介して放射線遮へい容器３２内に搬入され、さらに、開閉扉８９Ａを開いて搬出入エアロック８９内の空間８９Ｃ内に移動される。開閉扉８９Ａが閉められ、開閉扉８９Ｂの一部である上端部が開けられる。除染装置７１の伸縮管７１Ｂが密封空間９３内で圧力容器ヘッド４と遮へい袋８６の間に挿入される。作業アーム７１Ｃを操作して噴射ノズル７１Ｄを圧力容器ヘッド４の内面に対向させ、噴射ノズル７１Ｄから水を噴射させる。噴射ノズル７１Ｄから水を噴射しながら伸縮管７１Ｂ及び作業アーム７１Ｃを操作して圧力容器ヘッド４の内面の除染を実施する（図３７参照）。圧力容器ヘッド４の内面に当たって落下する水は、作業アーム７１Ｃに取り付けられた洗浄水受け皿（図示せず）に受けられて、前述したように、隔離チャンバー４０内の排水タンクに回収される。なお、圧力容器ヘッド４の除染は、遮へい袋８６の下面で実施しても良い。この場合は、圧力容器ヘッド４の下面が蒸気乾燥器１２の上端よりも除染装置７１を挿入可能な空間を考慮した上方位置に引上げたときに、その下面に作業アーム７１Ｃを設定し噴射ノズル７１Ｄで除染する。その後、遮へい袋８６を通過して引上げる。圧力容器ヘッド４の内面の除染が終了した後、伸縮管７１Ｂ、作業アーム７１Ｃ及び噴射ノズル７１Ｄが隔離チャンバー４０内に収納され、開閉扉８９Ｂが完全に閉じられる。隔離チャンバー４０は、搬出入エアロック８９内の空間８９Ｃから開口部３６Ａを通って地上に搬送される。
【手続補正１２】
【補正対象書類名】明細書
【補正対象項目名】０１１５
【補正方法】変更
【補正の内容】
【０１１５】
原子炉建屋内に作業ハウスを設置する（ステップＳ１８）。本実施例のステップＳ１８の工程では、特開２０１４−７０９４６号公報の段落００３４〜００４０に記載された各作業が行われ、作業ハウス１０１が原子炉建屋２３内に設置される。本実施例のステップＳ１８の工程で設置された作業ハウス１０１を、図４７を用いて説明する。この作業ハウス１０１は、放射線遮へい材である鉄板を用いて構築される。空間１０１Ａ及び１０１Ｂを内部に有する作業ハウス１０１が、原子炉建屋２３内で生体遮へい体１００に形成された制御棒駆動機構ハッチ１０４付近に構築される。作業ハウス１０１は、対向する両側壁を鉄板である２枚の放射線遮へい体（図示せず）、天井を鉄板である放射線遮へい体１０１Ｆ及び床を鉄板である放射線遮へい体（図示せず）で構成しており、これらの放射線遮へい体を互いに結合して形成される。これらの放射線遮へい体で取り囲まれた内部の領域を、下部に開口部が形成された、鉄板である放射線遮へい体１０１Ｄで仕切ることにより空間１０１Ａ及び１０１Ｂが形成される。放射線遮へい体１０１Ｄは、生体遮へい体１００の外面に対向しており、両側壁、天井及び床になる各放射線遮へい体に溶接にて接合される。放射線遮へい体１０１Ｄの開口部には、内部に除染装置（図示せず）が設けられた搬出入エアロック１０１Ｅが取り付けられる。搬出入エアロック１０１Ｅは空間１０１Ａ及び１０１Ｂのそれぞれの端部に開閉扉（図示せず）が取り付けられる。放射線遮へい体１０１Ｄに対向して鉄板である放射線遮へい体１０１Ｃが配置され、放射線遮へい体１０１Ｃが、放射線遮へい体１０１Ｄが取り付けられる各放射線遮へい体に溶接にて接合される。
【手続補正１３】
【補正対象書類名】明細書
【補正対象項目名】０１１６
【補正方法】変更
【補正の内容】
【０１１６】
制御棒駆動機構ハッチ１０４に連絡される空間１０１Ｂが放射線遮へい体１０１Ｄと生体遮へい体１００の間に形成され、空間１０１Ａが放射線遮へい体１０１Ｄと放射線遮へい体１０１Ｃの間に形成される。ガイドレール１０２Ａ及びこのガイドレール１０２Ａに沿って移動する吊り装置１０２Ｂを含む搬送装置１０２が、放射線遮へい体１０１Ｆ付近で空間１０１Ａ内に設置される。ガイドレール１０２Ａが放射線遮へい体１０１Ｃ及び１０１Ｄに取り付けられる。ガイドレール１０３Ａ及びこのガイドレール１０３Ａに沿って移動する吊り装置１０３Ｂを含む搬送装置１０３が、放射線遮へい体１０１Ｆ付近で空間１０１Ｂ内に設置される。ガイドレール１０３Ａが放射線遮へい体１０１Ｃ及び生体遮へい体１００に取り付けられる。放射線遮へい体１０１Ｃには、特開２０１４−７０９４６号公報に記載されたアクセス通路が接続される（段落００４０参照）。
【手続補正１４】
【補正対象書類名】明細書
【補正対象項目名】０１２３
【補正方法】変更
【補正の内容】
【０１２３】
搬出装置１１６が、ペデスタル開口部１０５付近でペデスタル１５の外面側で原子炉格納容器１７内に設置される（図４７及び図４８参照）。搬出装置１１６は、支持部材１１０、カート１１４、分岐カート１１５Ａ〜１１５Ｃ及び収納容器受台１１９を有する。カート１１４は、ペデスタル１５に形成されたペデスタル開口部１０５内に配置され、ペデスタル１５に取り付けられる。カート１１４は、下部プレナム２０からペデスタル１５の外側に向かって傾斜面１０７と同じ角度で傾斜している。分岐カート１１５Ａ〜１１５Ｃのそれぞれは、ペデスタル１５の外部で原子炉格納容器１７内に配置され、カート１１４の先端部に、回転可能で折り曲げられるように設置されている。分岐カート１１５Ａ〜１１５Ｃのそれぞれの出口には、開閉可能なシャッタ（図示せず）が取り付けられており、各シャッタは分岐カート１１５Ａ〜１１５Ｃのそれぞれの出口の開閉を行う。板状の支持部材１１０が、ペデスタル開口部１０５よりも下方で、ペデスタル１５の外面に取り付けられている。収納容器１１１が載せられる収納容器受台１１９が、バネ１２０を介して支持部材１１０の上面に取り付けられる。搬出装置１１６は、カート１１４の先端部に取り付けられる支持部材の下面に滑車１１７Ａ及び１１７Ｂを回転可能に取り付けており、ワイヤー１１８がこれらの滑車１１７Ａ及び１１７Ｂに掛けられ、ワイヤー１１８の一端部が収納容器受台１１９に取り付けられ、このワイヤー１１８の他端部が分岐カート１１５Ａに取り付けられている。滑車１１７Ａ及び１１７Ｂ、ワイヤー１１８、収納容器受台１１９及びバネ１２０は、分岐カート１１５Ｂ及び１１５Ｃのそれぞれに対しても同様に設けられる。収納容器受台１１９は、分岐カート１１５Ａ〜１１５Ｃのそれぞれの出口の真下に配置される。搬出装置１１６は、搬送装置１０６と同様に、空間１０１Ｂ内に存在する多関節アクセス装置を用いて組み立てられ、収納容器１１１の移送を搬送装置１０６に委ねられるように配置される。
【手続補正１５】
【補正対象書類名】明細書
【補正対象項目名】０１２６
【補正方法】変更
【補正の内容】
【０１２６】
図３９には図示されていないが、ステップＳ１３で用いられたマニピュレータ装置、及び吊り天秤９２を収納した隔離チャンバー４０を、開口部３６Ａを通して放射線遮へい容器３２内の空間３７に搬入し、さらに、開閉扉８９Ａを開けて搬出入エアロック８９内に移送する。隔離チャンバー４０が搬出入エアロック８９内に移送された後、開閉扉８９Ａを閉じて開閉扉８９Ｂを開ける。マニピュレータ装置の掴み具４７Ａで隔離チャンバー４０内の吊り天秤９２を掴み、その後、スライド機構４５Ｂ及び伸縮管４５Ａを伸ばして吊り天秤９２を隔離容器８１内の密封空間９３に搬入する。吊り天秤９２を蒸気乾燥器１２上に置いた後、吊り天秤９２から掴み具４７Ａを離し、この掴み具４７Ａで吊り天秤９２の吊り具を掴んで持ち上げる。昇降装置８３に接続されているワイヤー８７に取り付けられた掴み具が吊り天秤９２の吊り具を把持する。
【手続補正１６】
【補正対象書類名】明細書
【補正対象項目名】０１２７
【補正方法】変更
【補正の内容】
【０１２７】
マニピュレータ装置の作業アーム４５Ｃ及び掴み具４７Ａが隔離チャンバー４０内に収納された後、開閉扉８９Ｂが閉じられ、空間８９Ｃの空気が空気入替装置により清浄な空気と入れ替えられ、そして、搬出入エアロック８９内で散水装置から噴射された水が隔離チャンバー４０の外面に掛けられて付着している放射性核種が洗い流される。開閉扉８９Ａが開けられて隔離チャンバー４０が空間３７に移送され、開閉扉８９Ａが閉じられる。隔離チャンバー４０は、開口部３６Ａを通って地上に搬送される。
【手続補正１７】
【補正対象書類名】明細書
【補正対象項目名】０１２８
【補正方法】変更
【補正の内容】
【０１２８】
蒸気乾燥器１２が原子炉圧力容器３から取り外された後、昇降装置８３を駆動してワイヤー８７を巻き取る（図３９参照）。さらに、ワイヤー８７を巻き取ると、蒸気乾燥器１２が上昇する。蒸気乾燥器１２の下端が搬出入エアロック８９の位置まで上昇したとき、蒸気乾燥器１２の上昇が停止され、開閉扉８９Ａ及び８９Ｂが開けられる。放射線遮へい容器３２内に搬入されて放射線遮へい容器３２の底面上に置かれていたスライド式台車９２Ｃを、搬出入エアロック８９内を通して下部円筒部材８１Ｃ内まで移動させる。昇降装置８３を駆動してワイヤー８７を巻き戻すことにより、蒸気乾燥器１２が下部円筒部材８１Ｃ内でスライド式台車９２Ｃ上に置かれる（図４０参照）。開閉扉８９Ａ及び８９Ｂが開いているので、下部円筒部材８１Ｃ内の放射性核種が搬出入エアロック８９及び放射線遮へい容器３２に拡散する可能性がある。
【手続補正１８】
【補正対象書類名】明細書
【補正対象項目名】０１２９
【補正方法】変更
【補正の内容】
【０１２９】
スライド式台車９２Ｃを移動させることにより、蒸気乾燥器１２が搬出入エアロック８９内を通って放射線遮へい容器３２内の空間３７まで移送される（図４０参照）。開閉扉８９Ａ及び８９Ｂが閉じられる。前述したように、搬出入エアロック８９内の空間８９Ｃの空気が入れ替えられ、搬出入エアロック８９内が散水により洗浄される。放射線遮へい容器３２内で放射線遮へい板３３の下面に散水装置（図示せず）が設置され、放射線遮へい板３３に空気入替装置（図示せず）が設置されている。蒸気乾燥器１２が放射線遮へい容器３２内の空間３７に移送され、開閉扉８９Ａ及び８９Ｂが閉じられた後に、空気入替装置により放射線遮へい容器３２内の空気が清浄な空気と入れ替えられ、散水装置から噴射される水により放射線遮へい容器３２の蒸気乾燥器１２及びスライド式台車９２Ｃが洗浄される。放射線遮へい容器３２の蒸気乾燥器１２及びスライド式台車９２Ｃが開口部３６Ａを通して地上まで搬送される。
【手続補正１９】
【補正対象書類名】明細書
【補正対象項目名】０１３５
【補正方法】変更
【補正の内容】
【０１３５】
解体装置９４において、連結部材９４Ａに沿って移動する移動台車に取り付けられたアーム９４Ｅの先端部の掴み具９４Ｆを用いて蒸気乾燥器１２の切断部分を掴み、その移動台車に取り付けられたアーム９４Ｃの先端部の切断機９４Ｄを用いてその切断部分を切断する。掴み具９４Ｆに掴まれた、蒸気乾燥器１２の切断片は、アーム９４Ｅの操作により、収納容器搬送装置９５のガイドアーム９５Ａに沿って移動する吊り装置９５Ｃに吊り下げられて下部円筒部材８１Ｃ内に位置する収納容器９６内に収納される。切断機９４Ｄによる切断で順次発生する蒸気乾燥器１２の切断片は、掴み具９４Ｆに掴まれて、順次、吊り装置９５Ｃに吊り下げられた収納容器９６内に収納される。
【手続補正２０】
【補正対象書類名】明細書
【補正対象項目名】０１３６
【補正方法】変更
【補正の内容】
【０１３６】
収納容器９６がそれらの切断片で一杯になったとき、吊り装置９５Ｃが収納部９５Ｅの真上に移動して吊り下げられているその収納容器９６を収納部９５Ｅ内に吊り降ろし、収納部９５Ｅ内に収納する。蒸気乾燥器１２の切断片が収納された収納容器９６が、所定個数、収納部９５Ｅ内に収納されたとき、開閉扉８９Ａを開いて、収納容器搬送装置９５が搬出入エアロック８９から放射線遮へい容器３２内の空間３７に移動される。吊り装置９５Ｃを用いて収納部９５Ｅ内の全ての収納容器９６を、順次、放射線遮へい容器３２の底面に置かれた複数の搬送容器（図示せず）内に移送する。収納部９５Ｅ内の収納容器９６がなくなったとき、収納容器搬送装置９５は、再び、搬出入エアロック８９内に移動される。下部円筒部材８１Ｃ内で、蒸気乾燥器１２の切断が行われ、その切断片が吊り装置９５Ｃに吊り下げられた収納容器９６内に収納され、この収納容器９６が収納部９５Ｅ内に収納される。そして、切断片が収納された収納容器９６が、放射線遮へい容器３２内の搬送容器に収納される。このような一連の作業は、蒸気乾燥器１２の切断が終了するまで行われる。放射線遮へい容器３２内で散水装置により洗浄された搬送容器が、開口部３６Ａを通して外部に搬送される。
【手続補正２１】
【補正対象書類名】明細書
【補正対象項目名】０１３８
【補正方法】変更
【補正の内容】
【０１３８】
原子炉圧力容器の下鏡部に貫通孔を形成する（ステップＳ１５）。前述のステップＳ２２の工程が終了した後に、ステップＳ１５の工程が開始される。原子炉圧力容器３の下鏡部５への貫通孔１３２の形成には、ボーリング装置１２９が用いられる（図４３参照）。ボーリング装置１２９として、特開２０１３−１９８７５号公報の段落００３４〜００４３及び図６に記載されたボーリング装置が用いられる。原子炉圧力容器３内に配置される円板状の支持装置１３０Ａの上面には第１回転テーブル（図示せず）が回転可能に取り付けられ、第２回転テーブル（図示せず）が第１回転テーブルに偏心して取り付けられる。ボーリング装置１２９は、第２回転テーブルの上面に設置される。円筒部材１３０Ｂが第１および第２回転テーブルを取り囲んで支持装置１３０Ａの上面に取り付けられる。円筒部材１３０Ｂの外面と原子炉圧力容器３の内面とのシールを行う一対のリング状のシール部材１３０Ｃが円筒部材１３０Ｂの外面に取り付けられる。下方からの放射線を遮へいする水が、支持装置１３０Ａの上で円筒部材１３０Ｂの内側に充填される。支持装置１３０Ａと第１回転テーブルの間及び第１回転テーブルと第２回転テーブルの間のそれぞれには、その水が漏えいしないようにシールが施されている。
【手続補正２２】
【補正対象書類名】明細書
【補正対象項目名】０１３９
【補正方法】変更
【補正の内容】
【０１３９】
支持部材１３１が中間円筒部材８１Ｂの内面に取り付けられ、一対の巻取り装置９７Ａ及び９７Ｂが支持部材１３１の上面に設置される。巻取り装置９７Ａに巻き取られるワイヤー９８Ａ及び巻取り装置９７Ｂに巻き取られるワイヤー９８Ｂが、下部円筒部材８１Ｃの内面に設置された、水が充填された遮へい袋８５に形成された貫通孔を貫通して遮へい袋８５の下方に達し、円筒部材１３０Ｂの上面に取り付けられる。支持装置１３０Ａはワイヤー９８Ａ及び９８Ｂによって支持される。
【手続補正２３】
【補正対象書類名】明細書
【補正対象項目名】０１４４
【補正方法】変更
【補正の内容】
【０１４４】
支持部材１３１が、水が充填された遮へい袋８５の下方で、中間円筒部材８１Ｂの内面に取り付けられ、一対の巻取り装置９７Ａ及び９７Ｂが支持部材１３１の上面に設置される。巻取り装置９７Ａに巻き取られるワイヤー９８Ａ及び巻取り装置９７Ｂに巻き取られるワイヤー９８Ｂが、切削装置９９の本体部９９Ａの上端にそれぞれ取り付けられる。原子炉圧力容器３内に配置された切削装置９９はワイヤー９８Ａ及び９８Ｂによって支持される。切削装置９９及び支持部材１３１の原子炉圧力容器３への出し入れは、搬出入エアロック８９を通して行われる。
【手続補正２４】
【補正対象書類名】明細書
【補正対象項目名】０１６０
【補正方法】変更
【補正の内容】
【０１６０】
はつりヘッド９９Ｄを溝９９Ｅの長手方向に移動させながら回転体９９Ｂをゆっくり回転させることにより、原子炉圧力容器３の半径方向及び周方向のあらゆる位置で噴射ノズル９９Ｆまたはレーザヘッド９９Ｇによる燃料デブリ３９Ａのはつりを行うことができる。このはつりによって生じた燃料デブリ３９Ａのはつり片（切削片）は、下鏡部５に形成された各貫通孔１３２を通して原子炉圧力容器３の下方の緩衝装置１０９の傾斜面１０７上に落下し、前述の炉内構造物の切削片と同様に、ペデスタル１５の外部で収納容器受台１１９上に載っている収納容器１１１内に収納される。この収納容器１１１は、前述したように、放射性廃棄物処理建屋内の所定の領域まで移送されて保管される。
【手続補正２５】
【補正対象書類名】明細書
【補正対象項目名】０１６２
【補正方法】変更
【補正の内容】
【０１６２】
また、炉内構造物及び燃料デブリ３９Ａの各切断片を原子炉圧力容器３から原子炉圧力容器３の下方に位置する緩衝装置１０９の傾斜面１０７上に落下させているので、ペデスタル１５に位置させた収納容器１１１に実質的に連続的に収納させることができる。
【手続補正２６】
【補正対象書類名】明細書
【補正対象項目名】０１６４
【補正方法】変更
【補正の内容】
【０１６４】
原子炉圧力容器３の下鏡部５に形成された貫通孔１３２を通してペデスタル１５内の下部プレナム２０に落下する炉内構造物及び燃料デブリ３９Ａの各切断片を収納容器１１１に収納する他の案を、図５１を用いて説明する。この案では、ペデスタル１５内の下部プレナム２０に配置された上面が水平な緩衝装置１０９の上に支持プレート１２１Ａを配置し、多数の収納容器１１１がこの支持プレート１２１Ａ上に配置される。図５１において、ペデスタル１５の内面で右側に配置された押圧装置が、支持プレート１２１Ａ上の多数の収納容器１１１を左側に押している。一個の収納容器１１１が取り出されたとき、押圧装置により、多数の収納容器１１１が左側に押圧されているので、この収納容器１１１が配置されていた領域を埋めるように右側に位置しる各収納容器１１１が左側に移動する。また、多関節を有する作業アーム１２１が、ペデスタル１５内の各収納容器１１１の上方に配置されてペデスタル１５の内面に取り付けられる。多関節を有する他の作業アーム１２２が、ペデスタル１５の外側における、原子炉格納容器１７内の搬送装置１０６が配置された領域付近に設置される。ベルトコンベア１２４がペデスタル開口部１０５内に設置される。一個の収納容器１１１が取り出されたときには、図５１においてペデスタル１５の一番右側に空の収納容器１１１を追加する。
【手続補正２７】
【補正対象書類名】明細書
【補正対象項目名】０１６５
【補正方法】変更
【補正の内容】
【０１６５】
原子炉圧力容器３の下鏡部５に形成された各貫通孔１３２から落下する切削片は、支持プレート１２１Ａ上の各収納容器１１１内に供給される。カメラ１３４による監視により、上端まで切削片が収納された収納容器１１１は、作業アーム１２１で掴まれて持ち上げられ、ベルトコンベア１２４上に置かれる。この収納容器１１１は、ペデスタル開口部１０５内を通ってペデスタル１５の外部で原子炉格納容器１７内の搬送装置１０６の設置領域に到達する。この収納容器１１１は、作業アーム１２２に把持されて搬送装置１０６の吊り装置１０６Ｂに吊り下げられ、ベルトコンベア１１２上に置かれる。そして、この収納容器１１１は、前述したように空間１０１Ｂ及び１０１Ａを通り、原子炉建屋２３外の所定の保管場所まで搬送される。
【手続補正２８】
【補正対象書類名】明細書
【補正対象項目名】０１６８
【補正方法】変更
【補正の内容】
【０１６８】
本実施例の燃料デブリの取出し方法を、ステップＳ２５及びＳ１０Ａを中心に説明する。本実施例の燃料デブリの取出し方法でも、ステップＳ１〜Ｓ９の各工程が実施される。その後、第１放射線遮へい体が除去される（ステップＳ２５）。放射線遮へい体５９が水が充填された各遮へい袋４８の上方で床部材５８上に配置された状態で、原子炉ウェル２５内で格納容器ヘッド１８とシールドプラグ２８の間に配置された、水が充填された各遮へい袋４８が、遮へい体搬送装置４７を用いて除去される。遮へい袋４８を除去する前に内部の水が遮へい袋４８外に排出される。放射線遮へい容器３２内に搬入された隔離チャンバー４０内に存在する遮へい体搬送装置４７のスライド機構４５Ｂ及び伸縮管４５Ａを原子炉ウェル２５に向かって移動させ、作業アーム４５Ｃを操作して掴み具４７Ａにより、水が排出された遮へい袋４８を掴む。掴み具４７Ａを隔離チャンバー４０内に移動させて遮へい袋４８を離す。残りの遮へい袋４８も同様にして隔離チャンバー４０内に回収する。原子炉ウェル２５内で遮へい袋４８から放出された水は、ステップＳ４と同様に、ポンプ及び排水ホースにより隔離チャンバー４０内の排水タンク内に回収される。ドア６４Ａ及び６４Ｂを閉じて、放射線遮へい容器３２内のその隔離チャンバー４０を外部に搬送する。
【手続補正２９】
【補正対象書類名】明細書
【補正対象項目名】０１７０
【補正方法】変更
【補正の内容】
【０１７０】
放射線遮へい吊り天秤装置７４が、空間５３Ａに搬入され、天井クレーン５０Ａに吊り下げられる（図５４参照）。放射線遮へい吊り天秤装置７４は、前述したように、天井部７４Ｂ及び側壁部７４Ｃ内のそれぞれの空間に水が充填されている。放射線遮へい吊り天秤装置７４が下降される前に、床部材５８上に設置された放射線遮へい体５９が取り外される。その後、放射線遮へい吊り天秤装置７４が、天井クレーン５０Ａに吊り下げられて空間５３Ａから原子炉ウェル２５に向かって下降され、開閉式で広げられた隔離フィルム５４の間を通って原子炉ウェル２５内に下降される。さらに、円筒状の側壁部７４Ｃの下面がバッフルプレート７６付近に達するまで、放射線遮へい吊り天秤装置７４が下降され、格納容器ヘッド１８が円筒状の側壁部７４Ｃ内に挿入される（図５５参照）。このとき、掴み具７５Ｃ及び７５Ｄのそれぞれは、格納容器ヘッド１８の頂部に設けられた一対の吊り具のそれぞれを把持する。この格納容器ヘッド１８は、放射線遮へい吊り天秤装置７４によって覆われる。円筒状の側壁部７４Ｃの下面のリング状のガイドレールに取り付けられた切断機１２５が、そのガイドレールに沿って移動しながら格納容器ヘッド１８の側壁をバッフルプレート７６付近で切断する。切断機１２５がそのリング状のガイドレールを一周することによって、格納容器ヘッド１８の側壁の下端部が完全に切断される（図５５参照）。
【手続補正３０】
【補正対象書類名】明細書
【補正対象項目名】０１７８
【補正方法】変更
【補正の内容】
【０１７８】
本実施例は、実施例１で生じる各効果を得ることができる。
本件出願の他の発明の概念（１）〜（１５）のそれぞれを、以下に説明する。
（１）機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
前記機器仮置きプール内に放射線遮へい容器を設置し、
前記放射線遮へい容器内から前記スロットルプラグに第１貫通孔を形成し、
前記放射線遮へい容器内から前記第１貫通孔を通して前記シールドプラグで封鎖された前記原子炉ウェル内に第１放射線遮へい体を移送して前記シールドプラグの下方において前記原子炉格納容器の格納容器ヘッドを前記第１放射線遮へい体で覆うことを特徴とする原子炉圧力容器を開放する方法。
（２）前記第１放射線遮へい体として内部に水が充填された遮へい袋を用いる（１）に記載の原子炉圧力容器を開放する方法。
（３）前記原子炉ウェル内に第１放射線遮へい体を移送する前に、前記第１貫通孔を通して前記原子炉ウェル内における前記シールドプラグと前記格納容器ヘッドの洗浄を実施する（１）または（２）に記載の原子炉圧力容器を開放する方法。
（４）前記原子炉ウェルを覆う隔離ハウスを前記運転床上に設置し、前記格納容器ヘッドを前記第１第１放射線遮へい体で覆った状態で前記シールドプラグを除去する（１）ないし（３）のいずれか１つに記載の原子炉圧力容器を開放する方法。
（５）前記第１放射線遮へい体で覆われた前記格納容器ヘッドを原子炉格納容器から取り外し、取り外した前記格納容器ヘッドを前記隔離ハウス内に移送する（４）に記載の原子炉圧力容器を開放する方法。
（６）前記シールドプラグを除去した後に前記第１放射線遮へい体の上方で前記運転床上に第２放射線遮へい体を配置し、前記第２放射線遮へい体を配置した状態で、前記原子炉ウェル内の、前記格納容器ヘッドを覆っている前記第１放射線遮へい体を除去する（４）に記載の原子炉圧力容器を開放する方法。
（７）放射線遮へい吊り天秤装置で前記格納容器ヘッドを覆って前記格納容器ヘッドが前記放射線遮へい吊り天秤装置に吊り下げられ、前記格納容器ヘッドを原子炉格納容器から取り外し、取り外した前記格納容器ヘッドを前記放射線遮へい吊り天秤装置で覆った状態で前記隔離ハウス内に移送する（６）に記載の原子炉圧力容器を開放する方法。
（８）前記格納容器ヘッドを除去した後、前記原子炉圧力容器に取り付けられた圧力容器ヘッドを取り外す（５）または（７）に記載の原子炉圧力容器を開放する方法。
（９）機器仮置きプール及び前記機器仮置きプールに連絡される原子炉ウェルが原子炉建屋の運転床に形成され、前記原子炉ウェルがシールドプラグで覆われており、前記機器仮置きプールと前記原子炉ウェルを連絡する通路がスロットルプラグで封鎖されており、前記原子炉建屋内に原子炉格納容器が配置される原子力プラントにおける前記原子炉格納容器内に配置される原子炉圧力容器を開放する方法であって、
前記原子炉ウェルを覆う隔離ハウスを前記運転床上に設置し、
前記原子炉格納容器の格納容器ヘッドを第１放射線遮へい体で覆った状態で前記シールドプラグを除去し、
前記原子炉圧力容器に取り付けられた圧力容器ヘッドを覆う隔離容器を、前記原子炉ウェル及び前記隔離ハウス内に配置し、
前記隔離容器内で、前記原子炉圧力容器から取り外された前記圧力容器ヘッドを上方に向かって移送することを特徴とする原子炉圧力容器を開放する方法。
（１０）前記隔離容器を配置する前で前記シールドプラグを除去する前に、（１）ないし（３）のいずれか１つに記載の原子炉圧力容器を開放する方法を実施する（９）に記載の原子炉圧力容器を開放する方法。
（１１）前記隔離容器内を上方に向かって移送する前記圧力容器ヘッドを、前記隔離ハウスの位置で前記隔離容器に取り付けられた第１エアロックを通して前記隔離ハウス内に移送する（９）または（１０）に記載の原子炉圧力容器を開放する方法。
（１２）前記隔離容器内で前記圧力容器ヘッドを上方に向かって移送するとき、上方に向かって移送される前記圧力容器ヘッドが、前記圧力容器ヘッドの上方に配置されて水が充填された遮へい袋に形成された貫通孔内を上昇する（９）ないし（１１）のいずれか１つに記載の原子炉圧力容器を開放する方法。
（１３）前記圧力容器ヘッドが取り外された後、前記原子炉圧力容器から取り外された蒸気乾燥器を前記原子炉圧力容器内から前記隔離容器内に取り出し、前記機器仮置きプール内に設置された放射線遮へい容器の位置で前記隔離容器に取り付けられた第２エアロックを通して前記放射線遮へい容器内に移送する（９）ないし（１２）のいずれか１項に記載の原子炉圧力容器を開放する方法。
（１４）前記シールドプラグを除去した後で前記隔離容器が配置される前に、前記第１放射線遮へい体にて覆われた前記格納容器ヘッドを原子炉格納容器から取り外し、取り外した前記格納容器ヘッドを前記隔離ハウス内に移送する（９）ないし（１３）のいずれか１つに記載の原子炉圧力容器を開放する方法。
（１５）前記シールドプラグを除去した後で前記隔離容器が配置される前に、前記第１放射線遮へい体の上方で前記運転床上に第２放射線遮へい体を配置し、前記第２放射線遮へい体を配置した状態で、前記原子炉ウェル内の、前記格納容器ヘッドを覆っている前記第１放射線遮へい体を除去する（９）ないし（１３）のいずれか１つに記載の原子炉圧力容器を開放する方法。
【手続補正３１】
【補正対象書類名】図面
【補正対象項目名】図４０
【補正方法】変更
【補正の内容】
【図４０】
2016206154.tif 000001
【手続補正３２】
【補正対象書類名】図面
【補正対象項目名】図４３
【補正方法】変更
【補正の内容】
【図４３】
2016206154.tif 000002
【手続補正３３】
【補正対象書類名】図面
【補正対象項目名】図５１
【補正方法】変更
【補正の内容】
【図５１】
2016206154.tif 000003